(57)【要約】【課題】陳列室の前面開口部に形成される冷気エアーカーテンの整流効果の向上を実現する。【解決手段】陳列室１１の前面開口５に冷気エアーカーテンを構成して成るオープンショーケース１において、棚１２の前端部に構成されたエアーカーテンガイド３０を備え、このエアーカーテンガイド３０は、棚１２の幅方向に延在する後壁３４と、この後壁３４の前方に所定の間隔を存して配置された前壁３２を有し、各壁の間隔は上部が広く、下部が狭くなるよう構成されている。【選択図】図２
2010207564.tif 000002
【特許請求の範囲】
【請求項１】
前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気エアーカーテンを構成して成るオープンショーケースにおいて、
前記棚の前端部に構成されたエアーカーテンガイドを備え、該エアーカーテンガイドは、前記棚の幅方向に延在する後壁と、該後壁の前方に所定の間隔を存して配置された前壁を有し、各壁の間隔は上部が広く、下部が狭くなるよう構成されていることを特徴とするオープンショーケース。
【請求項２】
前記エアーカーテンガイドの前壁後面及び／又は後壁前面は、所定曲率の湾曲面とされていることを特徴とする請求項１に記載のオープンショーケース。
【請求項３】
前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気エアーカーテンを構成して成るオープンショーケースにおいて、
前記棚の前端部に構成されたエアーカーテンガイドを備え、該エアーカーテンガイドは、前記棚の幅方向に延在する後壁と、該後壁の前方に所定の間隔を存して配置された前壁を有し、該前壁前面は上部よりも下部が前方となる傾斜面とされ、プライスカードを配設可能とされていることを特徴とするオープンショーケース。
【請求項４】
前記エアーカーテンガイドの前壁後面は、上部よりも下部が後方となる傾斜面とされていることを特徴とする請求項３に記載のオープンショーケース。
【請求項５】
前面が開口する陳列室内に複数段架設された商品陳列用の棚を有し、前記開口の上縁に形成された冷気吐出口より冷気を吐出し、前記開口の下縁に形成された冷気吸込口より吸い込むことにより、前記陳列室の前面開口に冷気エアーカーテンを構成して成るオープンショーケースにおいて、
前記各棚の前端部にそれぞれ構成されたエアーカーテンガイドを備え、各エアーカーテンガイドは、前記棚の幅方向に延在する後壁と、該後壁の前方に所定の間隔を存して配置された前壁を有し、該前壁後面及び／又は後壁前面は、前記冷気エアーカーテンの流れる方向に対して略平行とされていることを特徴とするオープンショーケース。
【請求項６】
前記陳列室内の上部に架設された前記棚のエアーカーテンガイドは、前壁後面及び／又は後壁前面の上部が下部よりも前方となる傾斜面とされると共に、下部に架設された前記棚のエアーカーテンガイドは、前壁後面及び／又は後壁前面の上部が下部よりも後方となる傾斜面とされていることを特徴とする請求項５に記載のオープンショーケース。
【請求項７】
前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気エアーカーテンを構成して成るオープンショーケースにおいて、
前記棚の前端部に構成されたエアーカーテンガイドを備え、該エアーカーテンガイドは、前記棚の幅方向に延在する後壁と、該後壁の前方に所定の間隔を存して配置された前壁を有し、
前記後壁は、前記棚の前端に位置して当該棚の商品載置面より上方に起立し、当該商品載置面に陳列された商品の落下を防止するためのガードとなることを特徴とするオープンショーケース。
【請求項８】
前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気エアーカーテンを構成して成るオープンショーケースにおいて、
前記棚の前端に位置して当該棚の商品載置面より上方に起立し、当該商品載置面に陳列された商品の落下を防止するためのガードと、
前記棚の前端部に設けられるエアーカーテンガイドを備え、
該エアーカーテンガイドは、前記棚の幅方向に延在し、前記ガードに被さるかたちで係合する後壁部と、該後壁部から連続し、当該後壁部の前方に所定の間隔を存して配置された前壁部とから構成されており、
該前壁部と後壁部との間に前記冷気エアーカーテンが通過する冷気通過部が形成されていることを特徴とするオープンショーケース。
【請求項９】
前記エアーカーテンガイドは、前記後壁部から連続して後方に延在し、前記棚の商品載置面に敷設される敷設部を有することを特徴とする請求項８に記載のオープンショーケース。
【請求項１０】
前記前壁部は上部よりも下部が後方となる傾斜面とされていることを特徴とする請求項９に記載のオープンショーケース。
【発明の詳細な説明】
【技術分野】
【０００１】
本発明は、前面が開口する陳列室内に架設された商品陳列用の棚を備えたオープンショーケースに関するものである。
【背景技術】
【０００２】
従来よりスーパーマーケットやコンビニエンスストアなどに設置されるショーケースは、前面に開口する断熱壁の内側に間隔を存して設けた仕切板との間にダクトを構成し、仕切板の内側には陳列室を構成する。そして、陳列室の前面開口部の上端に設けられた吐出口と、陳列室の開口部の下端に設けられた吸込口とを備え、ダクトには冷却器と送風機を設置する。
【０００３】
これにより、送風機が運転されると、陳列室の前面開口部上端に設けられた吐出口からダクト内の冷却器と熱交換した冷気を吹き出して陳列室内を冷却すると共に、冷気の一部を開口部下端に設けられた吸込口に向けて吹き出して、陳列室の前面開口部に冷気エアーカーテンを形成している。これにより、当該冷気エアーカーテンによって陳列室の前面開口部を覆って陳列室内と室外とを遮断し、大きく開口した陳列室内の冷却効率の向上を図っている。
【０００４】
しかしながら、陳列室の前面開口部に形成される冷気エアーカーテンは、接触する外気の流れによって乱されやすい。冷気エアーカーテンが乱されると、陳列室内に滞留する（循環する）冷気が外部に漏洩しやすくなり、冷却効率が低下する。そこで、冷気エアーカーテンの整流を行うべく、陳列室内に架設される商品陳列用の棚の前端に冷気エアーカーテンガイドを設けられたオープンショーケースが開発されている（例えば、特許文献１参照。）。
【発明の概要】
【発明が解決しようとする課題】
【０００５】
上述した如き特許文献１における冷気エアーカーテンガイドは、棚の前端にコ字状の取付板を介して棚の前端面と略平行にガイド板が取り付けられることにより構成されている。これにより、陳列室の前面開口部上端に設けられた吐出口から下方に向けて吐出される冷気は、各棚の前端とガイド板との間に案内されて下方への導かれることとなるが、ガイド板の上端面に衝突した冷気によって当該冷気エアーカーテンが乱される問題があった。
【０００６】
そこで、陳列室の前面開口部に形成される冷気エアーカーテンの整流効果を高めて、陳列室内の冷気漏洩を著しく抑制し、冷却効率の向上を実現することができるオープンショーケースの開発が求められている。
【０００７】
他方、特許文献１における冷気エアーカーテンガイドは、架設させる棚の取付角度に応じて任意にガイド板を回動させてガイド板と棚前端との間に形成される隙間の冷気入口角度を調整可能としているが、当該ガイド板の前面にプライスカードが取り付けられた際、当該プライスカードを顧客の視線の高さに応じた適切な高さとすることができず、効果的な商品陳列を実現できないという問題がある。
【０００８】
そこで、本発明は、従来の技術的課題を解決するためになされたものであり、陳列室の前面開口部に形成される冷気エアーカーテンの整流効果の向上を実現することができると共に、プライスカードを好適に設けることで商品陳列効果の向上を図ることができるオープンショーケースを提供する。
【課題を解決するための手段】
【０００９】
上記課題を解決するために、本発明は、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るものであって、棚の前端部に構成されたエアーカーテンガイドを備え、このエアーカーテンガイドは、棚の幅方向に延在する後壁と、この後壁の前方に所定の間隔を存して配置された前壁を有し、各壁の間隔は上部が広く、下部が狭くなるよう構成されていることを特徴とする。
【００１０】
請求項２の発明は、上記発明において、エアーカーテンガイドの前壁後面及び／又は後壁前面は、所定曲率の湾曲面とされていることを特徴とする。
【００１１】
請求項３の発明のオープンショーケースは、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るものであって、棚の前端部に構成されたエアーカーテンガイドを備え、このエアーカーテンガイドは、棚の幅方向に延在する後壁と、この後壁の前方に所定の間隔を存して配置された前壁を有し、この前壁前面は上部よりも下部が前方となる傾斜面とされ、プライスカードを配設可能とされていることを特徴とする。
【００１２】
請求項４の発明は、上記発明において、エアーカーテンガイドの前壁後面は、上部よりも下部が後方となる傾斜面とされていることを特徴とする。
【００１３】
請求項５の発明のオープンショーケースは、前面が開口する陳列室内に複数段架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るものであって、各棚の前端部にそれぞれ構成されたエアーカーテンガイドを備え、各エアーカーテンガイドは、棚の幅方向に延在する後壁と、この後壁の前方に所定の間隔を存して配置された前壁を有し、この前壁後面及び／又は後壁前面は、前記冷気エアーカーテンの流れる方向に対して略平行とされていることを特徴とする。
【００１４】
請求項６の発明は、上記発明において、陳列室内の上部に架設された棚のエアーカーテンガイドは、前壁後面及び／又は後壁前面の上部が下部よりも前方となる傾斜面とされると共に、下部に架設された棚のエアーカーテンガイドは、前壁後面及び／又は後壁前面の上部が下部よりも後方となる傾斜面とされていることを特徴とする。
【００１５】
請求項７の発明は、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るものであって、棚の前端部に構成されたエアーカーテンガイドを備え、このエアーカーテンガイドは、棚の幅方向に延在する後壁と、この後壁の前方に所定の間隔を存して配置された前壁を有し、後壁は、棚の前端に位置して当該棚の商品載置面より上方に起立し、当該商品載置面に陳列された商品の落下を防止するためのガードとなることを特徴とする。
【００１６】
請求項８の発明のオープンショーケースは、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るものであって、棚の前端に位置して当該棚の商品載置面より上方に起立し、この商品載置面に陳列された商品の落下を防止するためのガードと、棚の前端部に設けられるエアーカーテンガイドを備え、このエアーカーテンガイドは、棚の幅方向に延在し、ガードに被さるかたちで係合する後壁部と、この後壁部から連続し、この後壁部の前方に所定の間隔を存して配置された前壁部とから構成されており、この前壁部と後壁部との間に冷気エアーカーテンが通過する冷気通過部が形成されていることを特徴とする。
【００１７】
請求項９の発明のオープンショーケースは、上記発明において、エアーカーテンガイドは、後壁部から連続して後方に延在し、棚の商品載置面に敷設される敷設部を有することを特徴とする。
【００１８】
請求項１０の発明のオープンショーケースは、上記発明において、前記前壁部は上部よりも下部が後方となる傾斜面とされていることを特徴とする。
【発明の効果】
【００１９】
本発明によれば、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るオープンショーケースにおいて、棚の前端部に構成されたエアーカーテンガイドを備え、このエアーカーテンガイドは、棚の幅方向に延在する後壁と、この後壁の前方に所定の間隔を存して配置された前壁を有し、各壁の間隔は上部が広く、下部が狭くなるよう構成されているので、冷気エアーカーテンを構成する冷気をエアーカーテンガイドの前壁と後壁との間に入りやすくすることができ、冷気流の案内効果を向上させることができる。
【００２０】
特に、前壁及び後壁上部との間隔から流入された冷気は、前壁及び後壁下部との間隔から流出する過程において、その間隔が狭くなることで、冷気を絞ることができ、整流効果が向上される。従って、陳列室の前面開口に形成される冷気エアーカーテンが乱されることによる不都合を効果的に解消することができる。
【００２１】
請求項２の発明によれば、上記発明に加えて、エアーカーテンガイドの前壁後面及び／又は後壁前面は、所定曲率の湾曲面とされているので、湾曲面とされている前壁後面及び／又は後壁前面に沿って各壁の間隔に流入するため、より当該各壁の間隔に流入しやすくなり、冷気流の案内効果を向上させることができる。
【００２２】
請求項３の発明によれば、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るオープンショーケースにおいて、棚の前端部に構成されたエアーカーテンガイドを備え、このエアーカーテンガイドは、棚の幅方向に延在する後壁と、この後壁の前方に所定の間隔を存して配置された前壁を有しているので、冷気エアーカーテンを構成する冷気をエアーカーテンガイドの前壁と後壁との間に入りやすくすることができ、冷気流の案内効果を向上させることができる。
【００２３】
また、このエアーカーテンガイドを構成する前壁前面は上部よりも下部が前方となる傾斜面とされ、プライスカードを配設可能とされているので、プライスカードを上斜め前方に向けて取り付けることができ、ショーケースの正面に立つ顧客が容易にプライスカードを視認することができる。このように、エアーカーテンガイドを構成する前壁によって、効果的にプライスカードを配設することができるようになる。
【００２４】
請求項４の発明によれば、上記発明に加えて、エアーカーテンガイドの前壁後面は、上部よりも下部が後方となる傾斜面とされているので、前壁及び後壁上部との間隔から流入された冷気は、前壁及び後壁下部との間隔から流出する過程において、その間隔が狭くなることで、冷気を絞ることができ、整流効果が向上される。従って、陳列室の前面開口に形成される冷気エアーカーテンが乱されることによる不都合を効果的に解消することができる。
【００２５】
請求項５の発明によれば、前面が開口する陳列室内に複数段架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るオープンショーケースにおいて、各棚の前端部にそれぞれ構成されたエアーカーテンガイドを備え、各エアーカーテンガイドは、棚の幅方向に延在する後壁と、この後壁の前方に所定の間隔を存して配置された前壁を有し、請求項６の発明の如く陳列室内の上部に架設された棚のエアーカーテンガイドは、前壁後面及び／又は後壁前面の上部が下部よりも前方となる傾斜面とされると共に、下部に架設された棚のエアーカーテンガイドは、前壁後面及び／又は後壁前面の上部が下部よりも後方となる傾斜面とすることで、この前壁後面及び／又は後壁前面は、冷気エアーカーテンの流れる方向に対して略平行とされているので、コアンダー効果によって陳列室内の棚前端側に引き込まれる全体としては湾曲した流れとなる冷気エアーカーテンの流れに沿った向きにエアーカーテンガイドの前壁後面及び／又は後壁前面を向けることができる。
【００２６】
これにより、各棚に設けられるエアーカーテンガイド全体で、協働して冷気エアーカーテンを案内することができ、冷気流の案内効果の向上を図ることができる。従って、陳列室の前面開口に形成される冷気エアーカーテンが乱されることによる不都合を効果的に解消することができる。
【００２７】
請求項７の発明によれば、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るオープンショーケースにおいて、棚の前端部に構成されたエアーカーテンガイドを備え、このエアーカーテンガイドは、棚の幅方向に延在する後壁と、この後壁の前方に所定の間隔を存して配置された前壁を有しているため、冷気エアーカーテンを構成する冷気をエアーカーテンガイドの前壁と後壁との間に入りやすくすることができ、冷気流の案内効果を向上させることができる。
【００２８】
特に、当該発明における後壁は、棚の前端に位置して当該棚の商品載置面より上方に起立し、当該商品載置面に陳列された商品の落下を防止するためのガードとなるので、冷気エアーカーテンの整流を行うエアーカーテンガイドを構成する後壁が、商品落下防止用のガードを兼ねることができる。これにより、部品点数の削減及び生産コストの低減を実現することができる。
【００２９】
請求項８の発明によれば、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るオープンショーケースにおいて、棚の前端に位置してこの棚の商品載置面より上方に起立し、この商品載置面に陳列された商品の落下を防止するためのガードと、棚の前端部に設けられるエアーカーテンガイドを備え、このエアーカーテンガイドは、棚の幅方向に延在し、ガードに被さるかたちで係合する後壁部と、この後壁部から連続し、後壁部の前方に所定の間隔を存して配置された前壁部とから構成されており、この前壁部と後壁部との間に冷気エアーカーテンが通過する冷気通過部が形成されているので、冷気エアーカーテンを構成する冷気をエアーカーテンガイドの前壁部と後壁部との間に入りやすくすることができ、冷気流の案内効果を向上させることができる。
【００３０】
これにより、冷気エアーカーテンと接触する外気の流れにより、当該エアーカーテンが乱されがたくなり、陳列室内に滞留（循環）する冷気の外部への漏洩を効果的に抑制することができる。そのため、冷却効率の向上を図ることができる。
【００３１】
特に、エアーカーテンガイドは、その後壁部がガードに被さるかたちで係合するので、棚の前端部に容易にエアーカーテンを設けることが可能となる。この際、格別にネジなどの固定部材を必要としないことから、取付作業性の向上を実現でき、利便性が向上される。また、棚の前端に立設されるガードに後壁部を被せるかたちで係合させることから当該エアーカーテンガイドの位置決めを容易とすることができ、より一層、取付作業性の向上を実現できる。
【００３２】
請求項９の発明によれば、上記発明において、エアーカーテンガイドは、後壁部から連続して後方に延在し、棚の商品載置面に敷設される敷設部を有するので、当該敷設部上に商品が載置・陳列されることにより、当該敷設部は、商品の自重によって棚の商品載置面に押さえつけられることとなり、より一層、安定してエアーカーテンガイドを棚の前端部に設けることが可能となる。
【００３３】
請求項１０の発明によれば、上記発明において、前記前壁部は上部よりも下部が後方となる傾斜面とされていることにより、冷気エアーカーテンを構成する冷気をエアーカーテンガイドの前壁部と後壁部との間に入りやすくすることができ、冷気流の案内効果を向上させることができる。
【図面の簡単な説明】
【００３４】
【図１】本発明を適用したオープンショーケースの縦断側面図である。
【図２】図２は図１の上部の部分拡大図である。
【図３】図３は棚の概略側面図である。
【図４】棚の概略平面図である。
【図５】図３の棚の前部の部分拡大図である。
【図６】他の実施例としての後壁を備えたエアーカーテンガイドを設けた棚の前部の部分拡大図である。
【図７】他の実施例としての後壁を備えたエアーカーテンガイドを設けた棚の前部の部分拡大図である。
【図８】他の実施例としての後壁を備えたエアーカーテンガイドを設けた棚の前部の部分拡大図である。
【図９】実施例２としてのエアーカーテンガイドを設けた棚の前部の部分拡大図である。
【図１０】実施例３としてのエアーカーテンガイドを設けたオープンショーケースの縦断側面図である。
【図１１】他の実施例としてのエアーカーテンガイドを設けた棚の前部の部分拡大図である。
【図１２】実施例４としてのエアーカーテンガイドを設けた棚の前部の部分拡大図である。
【図１３】他の実施例としてのエアーカーテンガイドを設けた棚の前部の部分拡大図である。
【図１４】他の実施例としてのエアーカーテンガイドを設けた棚の前部の部分拡大図である。
【図１５】図１４のエアーカーテンガイドの部分拡大平面図である。
【図１６】他の実施例としてのエアーカーテンガイドを設けた棚の前部の部分拡大図である。
【発明を実施するための形態】
【００３５】
以下、本発明の実施の形態について図面を参照して、本発明を適用したオープンショーケース１について詳述する。図１は本発明を適用したオープンショーケース１の縦断側面図、図２は図１の上部の部分拡大図、図３は棚の概略側面図、図４は棚の概略平面図、図５は図３の棚の前部の部分拡大図をそれぞれ示している。
【００３６】
本実施例のオープンショーケース１は、例えばスーパーマーケットなどの店舗内に複数台据え付けられる冷蔵タイプの多段オープンショーケースであり、前面に開口する断面略コ字状の断熱壁３と、その両側に取り付けられる図示しない側板によって本体２が構成されている。
【００３７】
この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。これら背面パネル６と天面パネル７の内側には、前面が開口する陳列室１１が形成されている。
【００３８】
陳列室１１の底部には、背面パネル６の下端から前方に延在して形成されるデッキパン１０が取り付けられ、このデッキパン１０の下方は、前記背面ダクト９に連通してその一部を構成する下部ダクト１４とされている。そして、この下部ダクト１４内には、冷気循環用の送風機１９が配設されると共に、陳列室１１後方の背面ダクト９内には冷却装置の冷凍サイクルを構成する冷却器１５が縦設されている。
【００３９】
断熱壁３と両側板にて囲繞された陳列室１１の前面開口５の上縁には、冷気吐出口１６が形成されており、この冷気吐出口１６は、背面ダクト９に連通している。また、前面開口５の下縁には、全幅に渡って複数のスリットから成る冷気吸込口１７が形成されており、前記下部ダクト１４に連通している。
【００４０】
背面ダクト９に縦設される冷却器１５と共に冷却装置を構成する図示しない圧縮機や凝縮器等の冷却ユニットは、当該ショーケース１が設置される場所とは異なる設置場所に設けられており、ショーケース１の冷却器１５とは配管により接続されているものとする。
【００４１】
そして、圧縮機及び送風機１９が運転されると、下部ダクト１４内の空気は後方の背面ダクト９に向けて吹き出され、当該背面ダクト９において冷却器１５と熱交換した後、上昇し、冷気として前面開口５上縁の冷気吐出口１６から開口５下縁の冷気吸込口１７に向けて吹き出される。そして、吹き出された冷気は、当該冷気吸込口１７より下部ダクト１４内に帰還し、送風機１９に再び吸い込まれる。
【００４２】
これによって、陳列室１１の前面開口５には、上端から下方に向けて吹き出される冷気流による冷気エアーカーテンが構成され、前面開口５からの外気の侵入を阻止、若しくは抑制すると共に、当該冷気エアーカーテンの一部が陳列室１１内に循環して陳列室１１内は冷却される。
【００４３】
次に、図３及び図４を参照して商品陳列用の棚１２について説明する。陳列室１１内には商品陳列用の棚１２が複数段、本実施例では上下に６段架設されている。各棚１２は、左右一対のブラケット２０、２０と、棚板２３とから構成されている。ブラケット２０は、後方に突出する鉤状の爪２０Ａ・・が後端に形成されており、陳列室１１内に設けられる棚支柱２２に保持される。棚支柱２２は、陳列室１１内の背面パネル６の前面両側に取り付けられるものであり、上下方向に図示しない取付孔が複数形成されている。そのため、当該取付孔に各ブラケット２０の爪２０Ａを係脱自在に係合させることにより、各棚１２は陳列室１１内において上下位置（高さ）を変更可能に架設される。尚、本実施例において、当該ブラケット２０は、棚支柱２２への取付角度を変更することにより、棚１２の商品載置面２３Ａの傾斜角度を任意に変更可能とされる。
【００４４】
棚板２３は、載置板部としての略矩形のガラス板（透明板）２４と、このガラス板２４の４辺に沿って左右前後に配置されるステンレスなどの金属製の枠材２５により構成されている。ガラス板２４は上面が商品を載置する面（商品載置面２３Ａ）を構成する。枠材２５は板金加工されており、上部にガラス板２４を支持する支持部２６が形成されている。ガラス板２４は、この支持部２６に図示しないパッキンを介して載せられる。尚、図４の平面図は、ガラス板２４を透視して棚１２を上方から見た状態を示している。
【００４５】
そして、係る構成の棚１２の前端部には、エアーカーテンガイドが構成されている。以下に、エアーカーテンガイドの実施形態として実施例１乃至実施例４を例に挙げて説明する。
【実施例１】
【００４６】
実施例１としてのエアーカーテンガイド３０は、各棚１２を構成する棚板２３の前端部２３Ｂに取り付けられる後壁３４と、ガイド構成部材３１とから構成される。後壁３４は、棚板２３（棚１２）の幅方向に延在して構成される板状部材であり、当該後壁３４の下端には所定角度にて後方に折曲された取付面３４Ａが構成されている。当該取付面３４Ａが棚板２３の前端部下面、本実施例では、前側の枠材２５下面にネジ止めにより固定されている。
【００４７】
また、本実施例では、図５に示すように後壁３４は、上端よりも下端が前方となるように、所定角度傾斜して設けられる。これにより、後壁３４の前面３４Ｂは、棚板２３の商品載置面２３Ａに対し、所定角度、上斜め前方に向けて配設されることとなる。そのため、当該後壁３４の前面３４Ｂに、棚１２の幅方向に渡ってプライスレール３７を構成し、当該プライスレール３７に当該棚１２の商品載置面２３Ａに陳列された商品の品名や価格等を記載した紙又は樹脂シートから成るプライスカード３８を係脱自在に保持させても良い。
【００４８】
これにより、棚板２３がブラケット２０、２０によって前部が低く後部が高くなるように傾斜して架設された場合であっても、当該プライスカード３８は、商品載置面２３Ａに対し、上斜め前方に向けて設けられる後壁３４の前面３４Ｂに設けられるため、ショーケース１の正面に立つ顧客が容易にプライスカード３８を視認することができる。これにより、商品陳列効果の向上を図ることができる。
【００４９】
なお、本実施例では、当該後壁３４をエアーカーテンガイド３０を構成する部材として棚板２３の前端に設けているが、既存のオープンショーケースには、棚板２３の前端には、商品載置面２３Ａに陳列される商品の落下を防止するための部材としてガードや棚飾りを兼ねたプライスレールが設けられている。そのため、当該ガード等を本発明におけるエアーカーテンガイド３０を構成する後壁として用いても良い。
【００５０】
一方、ガイド構成部材３１は、後壁３４の前方に位置する前壁３２と、当該前壁３２と棚板２３とを連結する連結部３３とから構成されている。前壁３２は、後壁３４と対向するように棚板２３（棚１２）の幅方向に延在して構成される板状部材である。連結部３３は、当該前壁３２の下端部（下端部後面）から棚板２３（後方）に向けて所定寸法延在して構成されるアームであり、複数、本実施例では、両側部及び略中央部の三箇所にそれぞれ前壁３２と一体に設けられている。
【００５１】
それぞれの連結部３３は、線条、若しくは、比較的幅の狭い板状に構成されており、当該棚板２３側の端部（後端）は、棚板２３の下面、本実施例では、後壁３４の取付面３４Ａ下面に宛がわれた状態で、ネジなどにより着脱自在に固定される。尚、当該連結部３３の形状、数は、これに限定されない。係る構成により、前壁３２と棚板２３の前端部に設けられる後壁３４との間には、空気の流通を妨げない上下に開放した空間（冷気流路）３５が形成される。
【００５２】
ここで、本実施例における前壁３２は、図５に示すように、上端部３２Ａよりも下端３２Ｂが後方となるように、所定角度傾斜して設けられる。これにより、前壁３２は、棚板２３の商品載置面２３Ａに対し、所定角度、下斜め前方に向けて配設されることとなる。
【００５３】
従って、本実施例における前壁３２と後壁３４により構成されるエアーカーテンガイド３０は、前壁３２と後壁３４の間隔は上部が広く、下部が狭く（空間３５の上部が広く、下部が狭く）なるように構成されることとなる。
【００５４】
そして、少なくとも最上段の棚１２の前端部に設けられるエアーカーテンガイド３０の前壁３２の上端は、冷気が吐出される前面開口５上縁の冷気吐出口１６と冷気が吸い込まれる前面開口５下縁の冷気吸込口１７とを結んで構成される冷気吐出範囲内に位置するように配設されているものとする。また、各棚１２に設けられるエアーカーテンガイド３０は、上側に設けられるエアーカーテンガイド３０から流出する冷気流の下流側に対応する位置に配設されているものとする。
【００５５】
係る構成により、陳列室１１の前面開口５上縁の冷気吐出口１６から開口５下縁の冷気吸込口１７に向けて吹き出された冷気は、冷気吐出口１６下方に位置する、エアーカーテンガイド３０、この場合、最上段の棚１２前端部に構成されるエアーカーテンガイド３０の前壁３２と後壁３４とによってこれら両壁の間隔（空間３５）内に案内される。（図２の実線矢印にて冷気の流れを示す）。
【００５６】
このエアーカーテンガイド３０の前壁３２と後壁３４との間隔（空間３５）内に案内された冷気は、流下する過程において、整流されて当該空間３５の下部から流出する。このとき、本実施例における前壁３２と後壁３４との間隔は、上部が広く（空間３５の上部が広く）構成されているため、棚前端部に構成されるエアーカーテンガイド３０内により多くの冷気が案内され、エアーカーテンを構成する冷気が流入しやすくなる。そして、この前壁３２と後壁３４との間隔は、上部に比べて下部が狭く（空間３５の下部が狭く）構成されているため、流下する過程でその間隔が狭くなるため、冷気流を絞ることができ、整流効果が向上される。
【００５７】
当該最上段の棚１２の前端部に構成されたエアーカーテンガイド３０を通過した冷気は、その下側に架設される棚１２の前端部に構成されたエアーカーテンガイド３０内に流入する。順次、各棚１２の前端部に構成されたエアーカーテンガイド３０内を通過した冷気は、前面開口５下縁の冷気吸込口１７より下部ダクト１４内に帰還する。
【００５８】
これにより、前面開口５には、各棚１２前端部に構成されたエアーカーテンガイド３０によって整流された冷気エアーカーテンを形成することができる。従って、接触する外気の流れによって冷気エアーカーテンが乱されがたくなり、陳列室１１内に滞留（循環）する冷気の外部への漏洩を効果的に抑制することができる。そのため、冷却効率の向上を図ることができる。
【００５９】
尚、本実施例では、図５に示すようにエアーカーテンガイド３０を構成する前壁３２及び後壁３４の両者が棚板２３の商品載置面２３Ａに対し、それぞれが傾斜することによって両壁の間隔は上部が広く、下部が狭くなるよう構成されているが、これに限定されるものではなく、例えば、図６乃至図８の如き構成としても良い。
【００６０】
即ち、図６に示す構成では、前壁３２のみを上端部３２Ａよりも下端３２Ｂが後方となるように、所定角度傾斜して設け、後壁３４に相当する後壁３６は、棚板２３の商品載置面２３Ａに対し略垂直に、且つ、商品載置面２３Ａより上方に起立して構成しても良い。これによっても、エアーカーテンガイド３０を構成する前壁３２及び後壁３６の間隔は上部が広く、下部が狭くなるように構成され、上記と同様に通過する冷気流を絞ることができ、整流効果の向上を実現することができる。
【００６１】
またこの場合、後壁３６は、棚板２３の商品載置面２３Ａに対し略垂直に、且つ、商品載置面２３Ａより上方に起立して構成されているため、当該商品載置面２３Ａに陳列される商品が後壁３６後面に当接して、当該商品が棚板２３前端から落下する不都合を防止することができる。これにより、エアーカーテンガイド３０を構成する後壁３６は、商品の落下を防止するためのガードを兼ねることができる。そのため、部品点数の削減及び生産コストの低減を実現することができる。
【００６２】
また、図７に示す構成では、後壁３４のみを上端よりも下端が前方となるように、所定角度傾斜して設け、ガイド構成部材３１は、前壁３２に相当する前壁２９が棚板２３（棚１２）の商品載置面２３Ａに対し略垂直となるように構成しても良い。これによっても、エアーカーテンガイド３０を構成する前壁２９及び後壁３４の間隔は上部が広く、下部が狭くなるように構成され、上記と同様に通過する冷気流を絞ることができ、整流効果の向上を実現することができる。
【００６３】
また、上記実施例においてエアーカーテンガイド３０を構成する前壁３２を、図８に示す如き前壁３９のように構成しても良い。即ち、図８における前壁３９は、上端部３９Ａ及び後面３９Ｃが例えば流線形状となるよう、所定曲率の湾曲面とする。これにより、冷気吐出口１６から吐出された冷気や、上側の棚１２に設けられるエアーカーテンガイド３０から流下した冷気は、当該エアーカーテンガイド３０を構成する前壁３９の湾曲面に沿って前壁３９と後壁３６（又は３４）との間隔（空間３５内）に流入させることができる。
【００６４】
これにより、冷気エアーカーテンを構成する冷気流がより各壁３９、３６の間隔（空間３５）内に流入しやすくなり、冷気流の案内効果を向上させることができる。ここでは、エアーカーテンガイド３０を構成する前壁３９の上端部３９Ａや後面３９Ｃを所定曲率の湾曲面としているが、これに限定されるものではなく、エアーカーテンガイド３０を構成する後壁３４（３６）の上端部や前面を所定曲率の湾曲面とすることによって、同様の効果を奏することができる。
【実施例２】
【００６５】
次に、実施例２としてのエアーカーテンガイド４０について図９を参照して説明する。係る実施例２におけるエアーカーテンガイド４０は、上述した如き各棚１２を構成する棚板２３の前端部２３Ｂに取り付けられる後壁３４と、ガイド構成部材４１とから構成される。尚、ここでは、後壁３４は、上記実施例における後壁３４や後壁３６と同一の構成とされているため、説明を省略する。
【００６６】
ガイド構成部材４１は、後壁３４の前方に位置する前壁４２と、当該前壁４２と棚板２３とを連結する連結部４３とから構成されている。前壁４２は、後壁３４と対向するように棚板２３（棚１２）の幅方向に延在して構成される。連結部４３は、上記実施例の連結部３３と同様に、当該前壁４２の下端部（下端部後面）から棚板２３（後方）に向けて所定寸法延在して構成され、後壁３４の取付面３４Ａ下面に宛がわれた状態で、棚板２３の下面に、ネジなどにより着脱自在に固定される。これにより、前壁４２と棚板２３の前端部に設けられる後壁３４との間には、空気の流通を妨げない上下に開放した空間（冷気流路）４５が形成される。
【００６７】
ここで、実施例２における前壁４２の前面は、図９に示すように、上部よりも下部が前方となる傾斜面４２Ａとされ、当該傾斜面４２Ａには、前壁４２の幅方向に渡ってプライスレール４６が構成されている。そして、このプライスレール４６には、当該棚１２の商品載置面２３Ａに陳列された商品の品名や価格等を記載した紙又は樹脂シートから成るプライスカード４７が係脱自在に配設可能とされている。
【００６８】
これにより、棚板２３がブラケット２０、２０によって前部が低く後部が高くなるように傾斜して架設された場合であっても、当該プライスカード４７は、商品載置面２３Ａに対し、上斜め前方に向けて構成される前壁４２の前面（傾斜面４２Ａ）に設けられるため、ショーケース１の正面に立つ顧客が容易にプライスカード４７を視認することができる。これにより、商品陳列効果の向上を図ることができる。尚、上記実施例の後壁３４の前面３４Ｂに設けられるプライスレール３７において併せてプライスカード４７を設けても良い。このように、エアーカーテンガイド４０を構成する前壁４２によって、効果的にプライスカード４７を配設することができるようになる。
【００６９】
そして、この前壁４２の後面は、上部よりも下部が後方となる傾斜面４２Ｂとされている。係る構成により、陳列室１１の前面開口５上縁の冷気吐出口１６から開口５下縁の冷気吸込口１７に向けて吹き出された冷気は、冷気吐出口１６下方に位置する、エアーカーテンガイド４０、この場合、最上段の棚１２前端部に構成されるエアーカーテンガイド４０の前壁４２後面の傾斜面４２Ｂと後壁３４とによってこれら両壁の間隔（空間４５）内に案内される。
【００７０】
このエアーカーテンガイド４０の前壁４２後面の傾斜面４２Ｂと後壁３４との間隔（空間４５）内に案内された冷気は、流下する過程において、整流されて当該空間４５の下部から流出する。この場合においても、前壁４２後面の傾斜面４２Ｂと後壁３４との間隔は、上部が広く（空間４５の上部が広く）構成されているため、棚前端部に構成されるエアーカーテンガイド４０内により多くの冷気が案内され、エアーカーテンを構成する冷気が流入しやすくなる。そして、この前壁４２後面の傾斜面４２Ｂと後壁３４との間隔は、上部に比べて下部が狭く（空間４５の下部が狭く）構成されているため、流下する過程でその間隔が狭くなるため、冷気流を絞ることができ、整流効果が向上される。
【実施例３】
【００７１】
次に、実施例３としてのエアーカーテンガイド５０について図１０のオープンショーケースの縦断側面図を参照して説明する。係る実施例３におけるエアーカーテンガイド５０は、上述した如き各棚１２を構成する棚板２３の前端部２３Ｂに取り付けられる後壁３６と、ガイド構成部材５１とから構成される。尚、ここでは、後壁３６は、上記実施例における後壁３６や後壁３４と同一の構成とされているため、説明を省略する。尚、図１０では、商品落下防止用のガードの機能をも有する後壁３６を採用している。
【００７２】
ガイド構成部材５１は、後壁３６の前方に位置する前壁５２と、当該前壁５２と棚板２３とを連結する連結部５３とから構成されている。前壁５２は、後壁３６と対向するように棚板２３（棚１２）の幅方向に延在して構成される。連結部５３は、上記実施例の連結部３３と同様に、当該前壁５２の下端部（下端部後面）から棚板２３（後方）に向けて所定寸法延在して構成され、後壁３６の取付面下面に宛がわれた状態で、棚板２３の下面に、ネジなどにより着脱自在に固定される。これにより、前壁５２と棚板２３の前端部に設けられる後壁３６との間には、空気の流通を妨げない上下に開放した空間（冷気流路）５５が形成される。
【００７３】
ここで、実施例３における前壁５２の少なくとも後面（実施例３では、前壁５２は、板材により構成しているため、前壁５２の前面及び後面）は、陳列室１１の前面開口５に形成される冷気エアーカーテンの流れる方向に対して略平行とされている。
【００７４】
具体的には、陳列室１１内の上部に架設された棚１２のエアーカーテンガイド５０、図１０では、上から１段目及び２段目の棚１２に設けられるエアーカーテンガイド５０は、前壁５２（少なくとも後面）が上部が下部よりも前方となる傾斜面５６とされている。尚、この際、上段になるほど、その前壁５２の上部が下部よりも前方となる角度が大きくなる傾斜面５６とされることが望ましい。
【００７５】
陳列室１１内の中央部に架設された棚１２のエアーカーテンガイド５０、図１０では、上から３段目の棚１２に設けられるエアーカーテンガイド５０は、前壁５２（少なくとも後面）は、上部と下部が略垂直となる垂直面５８とされている。
【００７６】
そして、陳列室１１内の下部に架設された棚１２のエアーカーテンガイド５０、図１０では、下から１段目及び２段目の棚１２に設けられるエアーカーテンガイド５０は、前壁５２（少なくとも後面）の上部が下部よりも後方となる傾斜面５７とされている。尚、この際、下段になるほど、その前壁５２の上部が下部よりも後方となる角度が大きくなる傾斜面５７とされることが望ましい。
【００７７】
尚、当該実施例３においても、実施例１と同様に、少なくとも最上段の棚１２の前端部に設けられるエアーカーテンガイド５０の前壁５２の上端は、冷気が吐出される前面開口５上縁の冷気吐出口１６と冷気が吸い込まれる前面開口５下縁の冷気吸込口１７とを結んで構成される冷気吐出範囲内に位置するように配設されているものとする。また、各棚１２に設けられるエアーカーテンガイド５０は、上側に設けられるエアーカーテンガイド５０から流出する冷気流の下流側に対応する位置に配設されているものとする。
【００７８】
係る構成により、陳列室１１の前面開口５上縁の冷気吐出口１６から開口５下縁の冷気吸込口１７に向けて吹き出された冷気は、冷気吐出口１６下方に位置する、エアーカーテンガイド５０、この場合、最上段の棚１２前端部に構成されるエアーカーテンガイド５０の前壁５２と後壁３６とによってこれら両壁の間隔（空間５５）内に案内される。
【００７９】
このエアーカーテンガイド５０の前壁５２と後壁３６との間隔（空間５５）内に案内された冷気は、流下する過程において、整流されて当該空間５５の下部から流出する。当該最上段の棚１２の前端部に構成されたエアーカーテンガイド５０を通過した冷気は、その下側に架設される棚１２の前端部に構成されたエアーカーテンガイド５０内に流入する。順次、各棚１２の前端部に構成されたエアーカーテンガイド５０内を通過した冷気は、前面開口５下縁の冷気吸込口１７より下部ダクト１４内に帰還する。
【００８０】
このとき、コアンダー効果で陳列室１１の前面開口５に形成される冷気エアーカーテンは、陳列室１１内の棚１２前端側に引き込まれる全体としては湾曲した流れとなる。本実施例における前壁５２（の後面）は、前面開口５に形成される冷気エアーカーテンの流れる方向に対して略平行となるように、陳列室１１内の上部に架設された棚１２のエアーカーテンガイド５０は、前壁５２（の後面）の上部が下部よりも前方となる傾斜面５６とされると共に、下部に架設された棚１２のエアーカーテンガイド５０は、前壁５２（の後面）の上部が下部よりも後方となる傾斜面５７とされている。
【００８１】
そのため、コアンダー効果によって陳列室１１内の棚１２前端側に引き込まれる全体としては湾曲した流れとなる冷気エアーカーテンの流れに沿った向きにエアーカーテンガイド５０の前壁５２（の後面）を向けることで、各棚１２に設けられるエアーカーテンガイド５０全体で、協働して冷気エアーカーテンを案内することができる。
【００８２】
尚、係る実施例では、エアーカーテンガイド５０を構成する前壁５２の後面を冷気エアーカーテンの流れる方向に対して略平行となるように傾斜面５６、５７若しくは、垂直面５８を構成しているが、これに限らず、エアーカーテンガイド５０を構成する後壁３６の前面を冷気エアーカーテンの流れる方向に対して略平行となるように、陳列室１１内の上部に架設された棚１２のエアーカーテンガイド５０の後壁３６前面の上部が下部よりも前方となる傾斜面とし、下部に架設された棚１２のエアーカーテンガイド５０の後壁３６前面の上部が下部よりも後方となる傾斜面としても良い。
【００８３】
また、エアーカーテンガイド５０の前壁５２の後面のみ、又は後壁３６の前面のみ上記の如き傾斜面を形成するのではなく、両者に冷気エアーカーテンの流れる方向に対して略平行とする傾斜面を形成しても良い。より一層、コアンダー効果に対応した乱れの著しく小さい冷気エアーカーテンの形成を実現することが可能となる。
【００８４】
これにより、前面開口５には、各棚１２前端部に構成されたエアーカーテンガイド３０によって効果的に整流された冷気エアーカーテンを形成することができる。従って、接触する外気の流れによって冷気エアーカーテンが乱されがたくなり、陳列室１１内に滞留（循環）する冷気の外部への漏洩を効果的に抑制することができる。そのため、冷却効率の向上を図ることができる。
【００８５】
尚、上記各実施例において、エアーカーテンガイド３０、４０、５０は、後壁３４又は３６と、前壁３２、４２、５２と連結部３３、４３、５３を備えたガイド構成部材３１、４１、５１とから構成されているが、これに限定されるものではなく、図１１に示すように、前壁３２等と、連結部３３等を備えたガイド構成部材３１等に後壁３４又は３６を一体成形としても良い。係る構成とすることにより、部品点数を削減することができ、取付作業性の向上を図ることができる。
【実施例４】
【００８６】
次に、図１２を参照して実施例４としてのエアーカーテンガイド６０について詳述する。図１２はエアーカーテンガイド６０を備えた棚１２の前部の拡大断面図を示している。当該エアーカーテンガイド６０が設けられる棚１２の前端部には、棚１２の幅方向に延在して棚板２３の商品載置面２３Ａに対し略垂直に、且つ、商品載置面２３Ａより上方に起立してガード６１が取り付けられている。このガード６１は、商品載置面２３Ａに陳列された商品の落下を防止するために棚板２３の前端に位置して固定される部材である。係る実施例では、ガード６１は、下端に所定角度にて後方に折曲された取付面６１Ａが構成されており、当該取付面６１Ａが棚板２３の前端部下面、本実施例では、前側の枠材２５下面にネジ止めにより固定されている。
【００８７】
エアーカーテンガイド６０は、棚板２３の幅寸法（本実施例では左右寸法）と略同一寸法とされる例えばアクリル板などの透明な板状材料を折曲形成することにより構成されている。このエアーカーテンガイド６０は、少なくとも棚板２３の商品載置面２３Ａ上に所定寸法、敷設される敷設部６２と、この敷設部６２の前端部に連続して構成される後壁部６３と、この後壁部６３の前方に当該後壁部６３と所定間隔を存して構成される前壁部６４とから構成されている。
【００８８】
図１２に示すように、後壁部６３は、敷設部６２の前端から上方に連続して所定寸法、少なくとも棚１２の前端部に設けられるガード６１の高さ寸法よりも高く起立した後面６３Ｂと、この後面６３Ｂの上端からこのガード６１に被さるかたちで前下方に向けて延在して構成される前面６３Ａとから構成される。
【００８９】
この後壁部６３の前面６３Ａは、上端よりも下端が前方となるように、所定角度傾斜して設けられる。これにより、後壁部６３の前面６３Ａは、棚板２３の商品載置面２３Ａに対し、所定角度、上斜め前方に向けて配設されることとなる。そのため、当該後壁部５３の前面６３Ａに、棚１２の幅方向に渡って図示しないプライスレールを構成し、当該プライスレールに当該棚１２の商品載置面２３Ａに陳列された商品の品名や価格等を記載した紙又は樹脂シートから成るプライスカードを係脱自在に保持させても良い。
【００９０】
そして、この後壁部６３の前端（前面６３Ａの下端）には、敷設部６２（棚板２３）と略平行に前方に向けて所定寸法、延在する連結部６５が連続して形成されており、この連結部６５の前端には、前壁部６４が連続して形成されている。
【００９１】
前壁部６４は、連結部６５の前端から上方に向けて所定寸法、本実施例では、前記後壁部６３よりも高い寸法、起立した後、所定寸法、本実施例では、連結部６５よりも低い位置まで下方に折り返され、当該下端が所定寸法だけ上方に向けて折り返されることにより、上方に開口するプライスカード保持部６４Ａが棚１２の幅方向に延在して構成されている。このプライスカード保持部６４Ａには、上述した如きプライスカードを係脱自在に保持させることが可能とされる。
【００９２】
そして、前壁部６４と後壁部６３との間に形成される連結部６５には、複数の通風口６５Ａが棚１２の幅方向に延在して形成された冷気通過部６５Ｂが構成されている。これにより、前壁部６４と後壁部６３との間には、上下に開放した空間（冷気流路）６６が形成される。
【００９３】
係る構成のエアーカーテンガイド６０は、後壁部６３の前面６３Ａと後面６３Ｂとにより構成される下方に開放した空間に、棚１２に取り付けられたガード６１を挿入させて、当該後壁部６３がガード６１に被さるかたちで係合させる。これにより、エアーカーテンガイド６０の敷設部６２は、棚板２３の商品載置面２３Ａ上に敷設され、この棚板２３の前方には、後壁部６３と前壁部６４により構成される冷気通過部６５Ｂが設けられる。
【００９４】
係る構成により、陳列室１１の前面開口５上縁の冷気吐出口１６から開口５下縁の冷気吸込口１７に向けて吹き出された冷気は、冷気吐出口１６下方に位置する、エアーカーテンガイド６０、この場合、最上段の棚１２前端部に構成されるエアーカーテンガイド６０の前壁６４と後壁６３とによってこれら両壁の間隔（空間６６）内に案内される。
【００９５】
このとき、後壁部６３の前面６３Ａは、上端が下端よりも後方に位置するように傾斜して（傾斜面とされて）いると共に、前壁部６４は、棚１２の商品載置面２３Ａに対し略垂直に配設されているため、エアーカーテンガイド６０は、前壁部６４と後壁部６３の間隔は、上部が広く、下部が狭く（空間６６の上部が広く、下部が狭く）なるように構成されることとなる。
【００９６】
このエアーカーテンガイド６０の前壁部６４と後壁部６３との間隔（空間６６）内に案内された冷気は、流下する過程において、整流されて当該空間６６の下部から流出する。このとき、係る実施例における前壁部６４と後壁部６３との間隔は、上部が広く（空間６６の上部が広く）構成されているため、棚前端部に構成されるエアーカーテンガイド６０内により多くの冷気が案内され、エアーカーテンを構成する冷気が流入しやすくなる。そして、この前壁部６４と後壁部６３との間隔は、上部に比べて下部が狭く（空間６６の下部が狭く）構成されているため、流下する過程でその間隔が狭くなるため、冷気流を絞ることができ、整流効果が向上される。
【００９７】
当該最上段の棚１２の前端部に構成されたエアーカーテンガイド６０を通過した冷気は、その下側に架設される棚１２の前端部に構成されたエアーカーテンガイド６０内に流入する。順次、各棚１２の前端部に構成されたエアーカーテンガイド６０内を通過した冷気は、前面開口５下縁の冷気吸込口１７より下部ダクト１４内に帰還する。
【００９８】
これにより、前面開口５には、各棚１２前端部に構成されたエアーカーテンガイド６０によって整流された冷気エアーカーテンを形成することができる。従って、冷気エアーカーテンと接触する外気の流れにより、当該エアーカーテンが乱されがたくなり、陳列室１１内に滞留（循環）する冷気の外部への漏洩を効果的に抑制することができる。そのため、冷却効率の向上を図ることができる。
【００９９】
尚、係る実施例では、図１２に示すようにエアーカーテンガイド６０を構成する前壁部６４及び後壁部６３の両者が棚板２３の商品載置面２３Ａに対し、それぞれが傾斜することによって両壁の間隔は上部が広く、下部が狭くなるよう構成されているが、これに限定されるものではなく、上記各実施例の如く構成しても良い。
【０１００】
上述したように、実施例４におけるエアーカーテンガイド６０は、後壁部６３を棚１２のガード６１に上方から係合させて敷設部６２を商品載置面２３Ａに敷設させることで棚１２に取り付けることができるため、棚１２の前端部に設けられる冷気エアーカーテンの整流部材を容易に設けることが可能となる。
【０１０１】
この際、格別にネジなどの固定部材を必要としないことから、取付作業性の向上を実現でき、利便性が向上される。また、棚１２の前端部に立設されるガード６１に後壁部６３を被せるかたちで係合させることから当該エアーカーテンガイド６０の位置決めを容易とすることができ、より一層、取付作業性の向上を実現できる。
【０１０２】
特に、係る実施例では、エアーカーテンガイド６０の敷設部６２は、商品載置面２３Ａに敷設されているため、当該エアーカーテンガイド６０の一端部側を構成する敷設部６２の上に、商品が載置・陳列されることにより、当該敷設部６２は、商品の自重によって棚１２の商品載置面２３Ａ側に押さえつけられることとなり、より一層、安定してエアーカーテンガイド６０を棚１２の前端部に設けることが可能となる。
【０１０３】
なお、図１２における実施例では、エアーカーテンガイド６０の後壁部６３をガード６１に係合させると共に、敷設部６２を商品載置面２３Ａに敷設し、当該敷設部６２上に陳列される商品によってより安定的に取り付けているが、これに限定されない。
【０１０４】
即ち、図１３に示す如き実施例では、後壁部６３の後面６３Ｂの下端部から敷設部６２を形成せずに、後壁部６３の後面６３Ｂの下端部６７を棚板２３の商品載置面２３Ａよりも下方に延在させ、当該下端部６７をガード６１の後面と棚板２３の前端との間に形成される隙間に挿入係合させている。これによっても、格別にネジなどの固定部材を必要としないことから、取付作業性の向上を実現でき、利便性が向上される。
【０１０５】
また、これ以外にも、図１４に示す如き実施例では、後壁部６３にガード６１を把持する把持構造を設けても良い。図１４の実施例では、後壁部６３の前面６３Ａを内側から垂下してガード６１の前面に当接する前保持片６８を形成し、後壁部６３の後面６３Ｂをガード６１の後面に当接する後保持片とする。
【０１０６】
このとき、後保持片を構成する後面６３Ｂは、上記と同様に、下端を棚板２３の商品載置面２３Ａよりも下方に延在させる。また、この場合、後面６３Ｂを弾性を有するように複数回、棚板２３の前端側及びガード６１側に折曲形成としてもよい。これにより、後壁部６３に形成される当該前保持片６８をガード６１の前面に当接させつつ、後保持片を構成する後面６３Ｂをガード６１と棚板２３の前端との間に挿入係合させる。
【０１０７】
これによって、弾性を有する後保持片と、前保持片６８によって、着脱自在に、且つ、安定的にエアーカーテンガイド６０を棚の前端に取り付けることが可能となる。
【０１０８】
また、本実施例における前壁部６９は、図１６に示すように、上端部６９Ｂよりも下端部６９Ｃが後方となるように、所定角度傾斜して設けられている。これにより、前壁部６９には棚板２３の商品陳列面２３Ａに対し、所定角度、下斜め前方に向けて配置されることとなる。
【０１０９】
従って、本実施例における前壁部６９と後壁部６３により形成されるエアーカーテンガイド６０は、前壁部６９と後壁部６３の間隔は上部が広く、下部が狭く(空間６６Ａの上部が広く、下部が狭く)なるように構成されることとなる。
【０１１０】
これによって、冷気エアーカーテンを構成する冷気をエアーカーテンガイド６０の前壁部６９と後壁部６３との間に入りやすくすることができ、冷気流の案内効果を向上させることができる。
【符号の説明】
【０１１１】
１  オープンショーケース
２  本体
３  断熱壁
５  前面開口
９  背面ダクト
１１  陳列室
１２  商品陳列用の棚
１４  下部ダクト
１６  冷気吐出口
１７  冷気吸込口
２３  棚板
２３Ａ  商品載置面
２９、３２、３９、４２、５２  前壁
３０、４０、５０、６０  エアーカーテンガイド
３１、４１、５１  ガイド構成部材
３３、４３、５３  連結部
３４、３６  後壁（商品落下防止用ガード）
３５、４５、５５、６６  空間（冷気流路）
３７、４６  プライスレール
３８、４７  プライスカード
３９Ａ  上端部
３９Ｃ  後面
４２Ａ、４２Ｂ、５６、５７  傾斜面
５８  垂直面
６１  ガード
６１Ａ  取付面
６２  敷設部
６３  後壁部
６３Ａ  前面
６３Ｂ  後面（後保持片）
６４  前壁部
６４Ａ  プライスカード保持部
６５  連結部
６５Ａ  通風口
６５Ｂ  冷気通過部
６７  下端部
６８  前保持片
【先行技術文献】
【特許文献】
【０１１２】
【特許文献１】実開昭５９−１７４５８８号公報
【図１】
2010207564.tif 000003
【図２】
2010207564.tif 000004
【図３】
2010207564.tif 000005
【図４】
2010207564.tif 000006
【図５】
2010207564.tif 000007
【図６】
2010207564.tif 000008
【図７】
2010207564.tif 000009
【図８】
2010207564.tif 000010
【図９】
2010207564.tif 000011
【図１０】
2010207564.tif 000012
【図１１】
2010207564.tif 000013
【図１２】
2010207564.tif 000014
【図１３】
2010207564.tif 000015
【図１４】
2010207564.tif 000016
【図１５】
2010207564.tif 000017
【図１６】
2010207564.tif 000018